(57)【要約】【課題】大型化を抑制しつつ、光軸を自在に調整可能な撮像装置を提供すること。【解決手段】撮影光学系および撮影光学系を通過した光束を撮像する撮像素子を備える本体部と、本体部から回動自在に突出するコネクタと、コネクタを収納する収納部と、を有し、コネクタは、本体部から突出している場合、撮影光学系の撮影範囲を調整するために本体部の姿勢を調整可能な第１の状態、および外部機器と電気的に接続可能な第２の状態を取り得る。【選択図】図７
2019120938.tif 000002
【特許請求の範囲】
【請求項１】
撮影光学系および前記撮影光学系を通過した光束を撮像する撮像素子を備える本体部と、
前記本体部から回動自在に突出するコネクタと、
前記コネクタを収納する収納部と、を有し、
前記コネクタは、前記本体部から突出している場合、前記撮影光学系の撮影範囲を調整するために前記本体部の姿勢を調整可能な第１の状態、および外部機器と電気的に接続可能な第２の状態を取り得ることを特徴とする撮像装置。
【請求項２】
前記コネクタが前記第１の状態である場合に前記本体部と成す角度は、前記コネクタが前記第２の状態である場合に前記本体部と成す角度と異なり、
前記コネクタは、前記第１の状態である場合、前記外部機器と電気的に接続不可能であることを特徴とする請求項１に記載の撮像装置。
【請求項３】
前記コネクタは、前記コネクタの先端に設けられた前記外部機器に接続するための接続部と、前記第１の状態である場合に前記接続部を覆い、前記第２の状態である場合に前記接続部を覆わない保護部材と、を有することを特徴とする請求項１または２に記載の撮像装置。
【請求項４】
前記保護部材は、前記コネクタが前記収納部に収納されている場合に前記接続部を覆わないことを特徴とする請求項３に記載の撮像装置。
【請求項５】
前記コネクタは、前記コネクタの先端に設けられた前記外部機器に接続するための接続部と、前記接続部を保護する保護部材と、を有し、
前記保護部材は、前記コネクタが前記収納部に収納されている状態から前記本体部から突出する状態に移行する場合、前記接続部を覆うように前記接続部に向かう方向へ移動し、前記コネクタが前記本体部から突出している状態から前記収納部に収納される状態に移行する場合、前記接続部を覆わないように前記接続部に向かう方向と反対方向へ移動することを特徴とする請求項１または２に記載の撮像装置。
【請求項６】
前記保護部材は、前記コネクタが前記第１の状態から前記第２の状態に移行する場合に、前記反対方向へ移動することを特徴とする請求項５に記載の撮像装置。
【請求項７】
前記本体部は、前記コネクタが前記本体部から突出することで、前記外部機器との無線通信が可能になることを特徴とする請求項１から６のいずれか１項に記載の撮像装置。
【請求項８】
前記コネクタの第１端は、前記外部機器に接続するための接続部であり、
前記コネクタの第２端は、前記本体部の姿勢を調整可能な脚部であり、
前記本体部に設けられた軸部を中心として前記コネクタを回転させることで、前記接続部が前記本体部から突出し、前記脚部が前記収納部に収納される状態と、前記脚部が前記本体部から突出し、前記本体部が前記収納部に収納される状態とが切り替わることを特徴とする請求項１または２に記載の撮像装置。
【請求項９】
前記コネクタが第１の方向へ回転して前記本体部から前記接続部が突出する場合、前記接続部が回動方向において係止される位置は１つであり、
コネクタが前記第１の方向と反対方向である第２の方向へ回転して前記本体部から前記脚部が突出する場合、前記脚部が回動方向において係止される位置は複数であることを特徴とする請求項８に記載の撮像装置。
【請求項１０】
前記脚部の表面粗さは、前記接続部の表面粗さに比べて大きいことを特徴とする請求項８または９に記載の撮像装置。
【請求項１１】
前記第１の状態と前記第２の状態との切り替えは、リモコン操作可能であることを特徴とする請求項１から１０のいずれか１項に記載の撮像装置。
【請求項１２】
前記コネクタは、第１の回動方向に回動することで、前記第１の状態と前記第２の状態との間を回動可能であり、前記第１の回動方向に直交する第２の回動方向に回動することで、前記第２の状態と前記外部機器と電気的に接続可能な第３の状態との間を回動可能であることを特徴とする請求項１から１１のいずれか１項に記載の撮像装置。
【請求項１３】
前記コネクタは、前記第２の状態において前記第２の回動方向へ９０度回転することで前記第３の状態になることを特徴とする請求項１２に記載の撮像装置。
【請求項１４】
前記コネクタは、前記撮像素子の短辺側に配置されていることを特徴とする請求項１２または１３に記載の撮像装置。
【請求項１５】
撮影光学系および前記撮影光学系を通過した光束を撮像する撮像素子を備える本体部と、
前記本体部から突出している場合、外部機器と電気的に接続可能な状態を取り得るコネクタと、
前記撮影光学系の撮影範囲を調整するために前記本体部の姿勢を調整可能な姿勢調整部と、
前記コネクタおよび前記姿勢調整部を収納する収納部と、を有し、
前記コネクタと前記姿勢調整部は、前記本体部から同一の回転軸を中心として回動自在に突出することを特徴とする撮像装置。
【発明の詳細な説明】
【技術分野】
【０００１】
本発明は、望遠の光学系を有する撮像装置に関する。
【背景技術】
【０００２】
デジタルスチルカメラ、ビデオカメラおよびＴＶカメラ等の光学機器（撮像装置またはカメラ）を用いて撮影を行う場合、カメラ本体にレイアウトされる液晶モニターや、電子ビューファインダー（以降、ＥＶＦ）を用いて被写体確認が行われる。近年、Ｗｉ−Ｆｉなどの無線接続や、ＵＳＢなどの外部接続コネクタによる有線接続によってカメラ本体をパソコンやスマートフォンに電気的に接続することで、スマートフォンなどのカメラ本体とは異なる電子機器の表示画面を用いて被写体確認が行われている。パソコンやスマートフォンに接続することで、ユーザがカメラ本体を保持することなく、カメラ本体とは異なる電子機器の表示画面を確認しながら遠隔操作によって撮影が可能となる。遠隔操作する場合、カメラ本体を上下左右方向へ振り、光軸を所定の方向になるように移動させることが望まれている。特許文献１には、カメラ本体が装着されたクレードルの脚部を移動させることで、カメラ本体の光軸を所定の位置に移動させる技術が開示されている。また、特許文献２には、カメラ付き携帯電話機が取り付けられた載置台の回動部によってカメラ付携帯電話機を自由な角度で保持可能な技術が開示されている。
【先行技術文献】
【特許文献】
【０００３】
【特許文献１】特開２００３−１３１３１２号公報
【特許文献２】特開２００６−０７４５８５号公報
【発明の概要】
【発明が解決しようとする課題】
【０００４】
しかしながら、特許文献１および特許文献２に開示された技術は、カメラ本体とは別のクレードルや載置台に関し、カメラ本体とは別の付属品として撮影を補助するものである。
【０００５】
本発明は、大型化を抑制しつつ、光軸を自在に調整可能な撮像装置を提供することを目的とする。
【課題を解決するための手段】
【０００６】
本発明の一側面としての撮像装置は、撮影光学系および前記撮影光学系を通過した光束を撮像する撮像素子を備える本体部と、前記本体部から回動自在に突出するコネクタと、前記コネクタを収納する収納部と、を有し、前記コネクタは、前記本体部から突出している場合、前記撮影光学系の撮影範囲を調整するために前記本体部の姿勢を調整可能な第１の状態、および外部機器と電気的に接続可能な第２の状態を取り得ることを特徴とする。
【発明の効果】
【０００７】
本発明によれば、大型化を抑制しつつ、光軸を自在に調整可能な撮像装置を提供することができる。
【図面の簡単な説明】
【０００８】
【図１】第１の実施形態の撮像装置の上面側斜視図である。
【図２】第１の実施形態の撮像装置の底面側斜視図である。
【図３】ＵＳＢ  ＴＹＰＥ−Ｃコネクタの説明図である。
【図４】撮像装置とＥＶＦとの接続を示す図である。
【図５】撮像装置と外部機器との接続を示す図である。
【図６】カメラシステムの概略構成を示す電気ブロック図である。
【図７】撮像装置の光軸位置調整の説明図である。
【図８】第１の実施形態のコネクタの説明図である。
【図９】撮像装置と外部機器との接続フローチャートである。
【図１０】第２の実施形態のコネクタの説明図である。
【図１１】第３の実施形態のコネクタの説明図である。
【図１２】第４の実施形態の撮像装置の外観斜視図である。
【図１３】第５の実施形態の撮像装置の外観斜視図である。
【図１４】第６の実施形態のコネクタの構成を示す分解斜視図である。
【図１５】第６の実施形態のコネクタの支持構成を示す分解斜視図である。
【図１６】第６の実施形態のコネクタの支持構造を示す断面図である。
【図１７】第６の実施形態のコネクタの突出状態を示す断面図である。
【図１８】第７の実施形態のコネクタの構成を示す分解斜視図である。
【図１９】第７の実施形態のコネクタと姿勢調整部の支持構成を示す分解斜視図である。
【図２０】第７の実施形態のコネクタと姿勢調整部の支持構造を示す断面図である。
【図２１】第７の実施形態のコネクタ蓋の移動状態を示す下面図である。
【図２２】第７の実施形態のコネクタと姿勢調整部の突出状態を示す断面図である。
【図２３】第８の実施形態のコネクタの構成を示す分解斜視図である。
【図２４】第８の実施形態のコネクタと姿勢調整部の突出状態を示す断面図である。
【発明を実施するための形態】
【０００９】
以下、本発明の実施例について、図面を参照しながら詳細に説明する。各図において、同一の部材については同一の参照番号を付し、重複する説明は省略する。
［第１の実施形態］
図１および図２はそれぞれ、本実施形態の撮像装置１の上面側斜視図および底面側斜視図である。撮像装置１は、結像光学系（撮影光学系）５０１およびＣＣＤセンサやＣＭＯＳセンサ等の撮像素子（不図示）が内蔵されているカメラ本体（本体部）５０を有する。結像光学系５０１は、カメラ本体５０の正面側に設けられ、被写体光を撮像素子上に結像させる。結像光学系５０１は、焦点距離を１００ｍｍと４００ｍｍとに切り替え可能な２焦点切り替えタイプの光学系である。なお、焦点距離の切り替え数は２つに限るものではなく、焦点距離も１００ｍｍと４００ｍｍに限るものではない。また、図１では、結像光学系５０１は、便宜的に１枚のレンズで表現されているが、複数のレンズから構成されていてもよい。
【００１０】
カメラ本体５０の上面には、撮影動作（被写体像の撮像）の開始を指示するためのレリーズスイッチ５０２が設けられている。レリーズスイッチ５０２は、レリーズボタンの押下圧によって２段階のスイッチポジションを有する。１段目のポジション（ＳＷ１  ＯＮ）の検出で、ホワイトバランスや測光等のカメラ設定のロック動作が行われる。２段目のポジション（ＳＷ２  ＯＮ）の検出で、被写体画像信号の取り込み動作が行われる。
【００１１】
カメラ本体５０の正面から見て右側面には、ズームスイッチ５０３が設けられている。ズームスイッチ５０３は、ズームスイッチ５０３ａおよびズームスイッチ５０３ｂから構成されている。ズームスイッチ５０３ａを押すことで、焦点距離が１００ｍｍになるように結像光学系５０１が駆動する。ズームスイッチ５０３ｂを押すことで、焦点距離が４００ｍｍになるように結像光学系５０１が駆動する。本実施形態では、結像光学系５０１の焦点距離に合わせて２つのズームスイッチが設けられているが、ズームスイッチの数は焦点距離の切り替え数に応じて変更可能である。
【００１２】
カメラ本体５０の正面から見て左側面には、パワースイッチ５０４およびモードスイッチ５０５が設けられている。パワースイッチ５０４を押すことで、カメラ本体５０の電源のＯＮとＯＦＦを切り替えることができる。モードスイッチ５０５を押すことで、カメラ本体５０に設定されているモードを切り替えることができる。例えば、モードスイッチ５０５を押すことで、静止画撮影モードと動画撮影モードを切り替えることができるように設定されていてもよい。
【００１３】
カメラ本体５０の底面側には、三脚取付け用の三脚穴５０６およびスマートフォンなどの外部機器接続用のコネクタ５０７が設けられている。三脚穴５０６は、一般的なデジタルスチルカメラやビデオカメラ等の光学機器に設けられたものと同じ構成である。本実施形態では、コネクタ５０７は、ＵＳＢ  ＴＹＰＥ―Ｃのコネクタであるが、外部機器と接続可能であればこれに限定されない。
【００１４】
図３を参照して、ＵＳＢ  ＴＹＰＥ−Ｃのコネクタについて説明する。図３は、ＵＳＢＴＹＰＥ−Ｃコネクタの説明図である。
【００１５】
Ｔｙｐｅ−Ｃ  Ｐｌｕｇは、ＵＳＢ  Ｔｙｐｅ−ＣのＰｌｕｇコネクタのピン配置を持つ。ＶＢＵＳ端子により、Ｔｙｐｅ−Ｃ  Ｐｌｕｇに接続された機器に電力を供給する。ＣＣ端子により、ＡＣジャックにＡＣアダプタが接続されているかをＴｙｐｅ−Ｃ  Ｐｌｕｇに接続された機器に示す。ＶＣＯＮＮ端子により、Ｔｙｐｅ−Ｂ  ＲｅｃｅｐｔａｃｌｅにＵＳＢホストなどのＵＳＢ機器が接続されているかをＴｙｐｅ−Ｃ  Ｐｌｕｇに接続された機器に示す。Ｄ＋端子およびＤ−端子により、Ｔｙｐｅ−Ｃ  Ｐｌｕｇに接続された機器とのデータの送受信に用いられる。
【００１６】
Ｔｙｐｅ−Ｃ  Ｒｅｃｅｐｔａｃｌｅは、ＵＳＢ  Ｔｙｐｅ−ＣのＲｅｃｅｐｔａｃｌｅコネクタのピン配置を持つ。ＶＢＵＳ端子により、Ｔｙｐｅ−Ｃ  Ｒｅｃｅｐｔａｃｌｅに接続された機器から電力を受電する。ＣＣ１端子およびＣＣ２端子により、ＵＳＢ  Ｔｙｐｅ−Ｃ規格で規定されるＣＣ端子のプルダウン抵抗を介してＧＮＤに接続される。
【００１７】
カメラ本体５０の底面には平面部５０ａが設けられており、カメラ本体５０を安定的に設置することができる。コネクタ５０７は、不使用時には、平面部５０ａから突出しないように、収納部５０８内に配置されている。コネクタ５０７は、後述するように、使用時にはカメラ本体５０から回動自在に突出する。
【００１８】
図４は、撮像装置１とＥＶＦ１５０との接続を示す図である。ＥＶＦ１５０は、カメラ本体５０の背面部に着脱可能に取り付けられる。カメラ本体５０とＥＶＦ１５０は、カメラ本体５０の背面側に設けられたＥＶＦコネクタ５０９とＥＶＦ１５０に設けられたコネクタ１５１によって、互いに電気的に接続される。結像光学系５０１を通過した光束は撮像素子上に結像され、取得された映像はＥＶＦ１５０に内蔵された不図示の内蔵ディスプレイに表示される。ユーザは、接眼レンズ１５３を通じて内蔵ディスプレイに表示される映像を見ることができる。そのため、ユーザは、内蔵ディスプレイに表示される映像を見ながら撮影することが可能となる。接眼検出部１５２は、ユーザがＥＶＦ１５０を覗いたときに接眼を検出するためのアイセンサーなどの検出手段である。内蔵ディスプレイは、例えば、ＴＦＴ方式のディスプレイや有機ＥＬディスプレイなどである。
【００１９】
図５は、撮像装置１と携帯機器などの外部機器との接続を示す図である。本実施形態では、外部機器の一例としてスマートフォン８０に撮像装置１を取り付ける場合について説明する。撮像装置１を外部機器に接続して使用する場合、ＥＶＦ１５０は通常カメラ本体５０から取り外されている。コネクタ５０７とスマートフォン８０のコネクタ部８０１とが連結することで、撮像装置１とスマートフォン８０を連動させた撮影動作を行うことが可能となる。スマートフォン８０に撮像装置１に対応するアプリケーションプログラムがインストールされている場合、スマートフォン８０を使って撮像装置１を動作させることが可能となり、各種の撮影機能を利用することができる。また、アプリケーションプログラムによってスマートフォン８０の表示制御部を制御することで、表示ディスプレイ８０２に画像を表示させることが可能となる。また、撮像装置１は、撮影可能範囲よりも小さな任意の撮影範囲を切り出すトリミング手段を備えていてもよい。この場合、アプリケーションプログラムの指示に応じて、トリミング手段が撮像素子によって取り込まれた画像データの一部を切り出し、見かけの焦点距離を電子的に変更することが可能となる。また、撮像装置１とスマートフォン８０を接続することで、スマートフォン８０から撮像装置１への給電も可能となる。なお、本実施形態では、撮像装置１と外部機器を有線接続する場合について説明したが、無線接続によって撮像装置１を遠隔操作して撮影することや、撮影画像を転送することも可能である。
【００２０】
図６を参照して、本実施形態のカメラシステムについて説明する。図６は、カメラシステムの概略構成を示す電気ブロック図である。
【００２１】
本実施形態では、結像光学系５０１、撮像素子１０６、撮像素子制御部１０７、レンズ駆動部１３１、焦点制御部１１９、レリーズスイッチ５０２、測光制御部１３２およびシャッター１３３から撮像部が構成されている。
【００２２】
通常の静止画撮影では、ユーザがレリーズスイッチ５０２を押すと、結像光学系５０１によって集光された被写体光は、シャッター１３３によってその光量制御がなされ、撮像素子１０６により被写体像として光電変換処理表示される。取得された映像は、ＥＶＦ１５０の表示部１５４に表示される。シャッター１３３は、フォーカルプレーンシャッターやレンズシャッターでもよいし、電子的に撮像素子１０６に取り込む光量を制御する電子シャッターでもよい。結像光学系５０１は、図６では便宜的に１枚のレンズで表現されているが、複数のレンズから構成されていてもよい。表示部１５４は、例えば、ＴＦＴ方式のディスプレイや有機ＥＬディスプレイなどであり、ユーザに撮像装置１の状態を表示してもよい。
【００２３】
撮像素子制御部１０７は、撮像素子１０６に転送クロック信号やシャッター信号を供給するためのタイミングジェネレータや、撮像素子１０６の出力信号に対するノイズ除去やゲイン処理を行うための回路を有する。また、撮像素子制御部１０７は、アナログ信号を例えば１０ビットデジタル信号に変換するためのＡ／Ｄ変換回路を有する。１０ビットデジタル信号は、映像情報取得量子化ビット数に対応する。ビット数は、撮像素子１０６の仕様などで種々変更可能である。さらに、撮像素子制御部１０７は、表示部１５４への表示および動画撮影を行うために、コントローラ１０１からの解像度変換指示に従って、撮像素子１０６に水平方向および垂直方向の間引き画素データを出力させる画素間引き処理を行うための回路等を有する。
【００２４】
測光制御部１３２は、撮像素子１０６の受光面の画素において発生した輝度信号を取り込み、コントローラ１０１にその情報を送る。コントローラ１０１は、取得した情報に基づいて撮像装置１の最適露出演算を行い、シャッタスピードや結像光学系５０１の絞りを制御することで最適な露光を達成する。また、コントローラ１０１は、撮像素子１０６が出力する輝度信号や色信号に基づいて、被写体の検出、ひいては撮影シーンの判別を行うことが可能である。
【００２５】
焦点制御部１１９は、コントラストＡＦ（山登りＡＦ）や位相差ＡＦなどの従来の焦点位置検出方法によって撮像画面の複数の領域について焦点位置を検出する。焦点制御部１１９は、例えば、コントローラ１０１を通じて現在位置からどの程度レンズを駆動させれば焦点が合うか（または現状のレンズ位置で焦点が合ったか）を計算し、レンズ駆動部１３１に駆動量を指示する。レンズ駆動部１３１は、焦点制御部１１９により算出された駆動量に応じて、結像光学系５０１内の特定のレンズの位置を変えることによって焦点を合わせる動作を行う。焦点を合わせる方法については、レンズ駆動に限定せず、撮像素子１０６と結像光学系５０１全体との相対位置を変化させても同様の効果が得られる。この場合、例えば、撮像素子１０６を結像光学系５０１の光軸に沿って前後させればよい。
【００２６】
コントローラ（中央演算処理装置）１０１は、カメラシステム全体の動作を制御する。コントローラ１０１は、ＲＯＭ１０２内の制御プログラムに基づいて各種制御を行う。制御の中には、レリーズスイッチ５０２の操作に伴う撮影動作を指示する処理や、画像処理部１０８から出力された撮影画像（映像）信号を読み込み、ＲＡＭ１０３に転送を行う処理がある。同様に、ＲＡＭ１０３より表示制御部１１１に画像データを転送する処理や、画像データをＪＰＥＧ圧縮し、ファイル形式でデータ格納手段１０４に格納する処理がある。動画データの場合も同様の処理を経て、ＭＯＶ形式などのファイルに圧縮され、データ格納手段１０４に格納される。また、コントローラ１０１は、撮像素子１０６、撮像素子制御部１０７、画像処理部１０８および表示制御部１１１に対してデータ取り込み範囲やデジタル画像処理の変更指示を行う。
【００２７】
また、コントローラ１０１は、各素子への電源の供給をコントロールするための制御信号をＤＣ／ＤＣコンバータ１１７に対して出力する。ＤＣ／ＤＣコンバータ１１７は、電池１１６から電源供給を受け、昇圧やレギュレーションを行う。これにより、複数の電源を作り出し、コントローラ１０１をはじめとする各素子に必要な電圧の電源を供給する。また、ＤＣ／ＤＣコンバータ１１７は、コントローラ１０１からの制御信号により、各素子への電圧供給の開始や停止を制御する。電池１１６は、リチャージャブルの２次電池または乾電池である。本実施形態では、ＤＣ／ＤＣコンバータ１１７に電源を供給するために、電池１１６が用いられているが、本発明はこれに限定されない。電源が供給可能な他の電源装置を用いてもよい。
【００２８】
ＲＡＭ１０３は、画像展開エリア、ワークエリア、ＶＲＡＭおよび一時退避エリアなどを備えている。画像展開エリアは、画像処理部１０８より送られてきた撮影画像（ＹＵＶデジタル信号）やデータ格納手段１０４から読み出されたＪＰＥＧ圧縮画像データを一時的に格納するためのテンポラリバッファとして使用される。画像展開エリアは、画像圧縮処理や解凍処理のための画像専用ワークエリアとしても使用される。ワークエリアは、各種プログラムのためのワークエリアである。ＶＲＡＭは、各表示部に表示する表示データを格納する。一時退避エリアは、各種データを一時退避させるためのエリアである。
【００２９】
データ格納手段１０４は、コントローラ１０１によりＪＰＥＧ圧縮された撮影画像データや、ＭＯＶ形式などの動画像データをファイル形式で格納しておくためのフラッシュメモリである。
【００３０】
画像処理部１０８は、撮像素子制御部１０７から出力された１０ビットデジタル信号に対してガンマ変換、色空間変換、ホワイトバランス、ＡＥ、およびフラッシュ補正等の画像処理を行い、ＹＵＶ（４：２：２）フォーマットの８ビットデジタル信号を出力する。
【００３１】
表示制御部１１１は、画像処理部１０８から転送されたＹＵＶデジタル画像データ、またはデータ格納手段１０４の画像ファイルに対してＪＰＥＧの解凍を行ったＹＵＶデジタル画像データを受け取る。表示制御部１１１は、受け取った画像データをＲＧＢデジタル信号に変換した後、表示部１５４に出力する。また、表示制御部１１１は、ＥＶＦ１５０のカメラ本体５０への接続を検出するファインダ接続検出部１１５を有する。
【００３２】
データ通信手段１０９は、例えば、スマートフォン等の表示部１６１を有する外部機器１６０と無線通信を行う。これにより、撮像装置１の遠隔制御が可能となる。例えば、撮像装置１を所定の位置に設置した状態で表示部１６１に撮像装置１で取得された映像を確認しながら、撮影を行うことが可能である。
【００３３】
ズームスイッチ５０３は、結像光学系１０５の光学ズーム倍率をユーザが操作するための操作部材である。コントローラ１０１に入力されたズームスイッチ５０３からの信号により、レンズ駆動部１３１が結像光学系１０５を制御し、光学ズーム倍率が可変可能となる。本実施例では、ズームスイッチ５０３は、前述したように、光学ズーム倍率アップおよび光学ズーム倍率ダウンの２つのスイッチを有する。
【００３４】
パワースイッチ５０４は、撮像装置１の電源投入および電源停止をユーザが操作するための操作部材である。
【００３５】
モードスイッチ５０５は、撮像装置１が具える各種撮影のためのモード切替をユーザが操作するための操作部材である。コントローラ１０１に入力されたモードスイッチ５０５からの信号により、モード切替が行われる。
【００３６】
ＥＶＦ１５０に設けられたコントローラ１５５は、コネクタ１５１、接眼検出部１５２および表示部１５４に接続され、ＥＶＦ１５０全体の制御を司る。
【００３７】
以下、図７を参照して、コネクタ５０７を撮像装置１の光軸位置調整用の脚部として機能させる撮影方法について説明する。図７は、撮像装置１を側面から見た図であり、コネクタ５０７の突出量により撮像装置１の光軸位置が変化する様子を示している。
【００３８】
図７（ａ）は、コネクタ５０７がカメラ本体５０に対して突出しておらず、平面部５０ａが設置面に当接している状態を示している。図７（ｂ）は、図７（ａ）の状態からコネクタ５０７を回動させた状態であり、コネクタ５０７がカメラ本体５０から突出し、カメラ本体５０が設置面に対して傾いている状態を示している。このとき、平面部５０ａおよびコネクタ５０７が設置面に当接し、カメラ本体５０の光軸は設置面に対して角度θ１の傾きを有する。図７（ｃ）は、図７（ｂ）の状態からコネクタ５０７を回動させた状態であり、カメラ本体５０が設置面に対して図７（ｂ）の状態よりも大きく傾いている状態である。このとき、カメラ本体５０の光軸は、設置面に対して角度θ２（＞θ１）の傾きを有する。このように、コネクタ５０７をカメラ本体５０に対して突出させた状態で回動させることで、カメラ本体５０の姿勢を調整可能である。すなわち、撮像装置１の光軸を自在に調整可能である。
【００３９】
以下、図８を参照して、コネクタ５０７について説明する。図８は、コネクタ５０７の説明図である。コネクタ５０７は、前述したように、外部機器との接続コネクタとして使用されるとともに、撮像装置１の光軸調整用の脚部としても使用される。
【００４０】
図８（ａ）は、コネクタ５０７がカメラ本体５０から突出している状態を示している。図８（ｂ）は、収納部５０８に収納されている状態（収納状態）のコネクタ５０７の断面図である。図８（ｃ）は、カメラ本体５０から突出し、撮像装置１の光軸調整用の脚部として使用可能な状態（第１の状態）のコネクタ５０７の断面図である。図８（ｄ）は、カメラ本体５０から突出し、外部機器に有線接続可能な状態（第２の状態）のコネクタ５０７の断面図である。
【００４１】
コネクタ５０７は、外部機器に接続するためのプラグ部（接続部）５０７ａ、プラグ部５０７ａを保持するコネクタ本体部５０７ｂ、およびプラグ部５０７ａを保護する保護部材５０７ｄを有する。コネクタ５０７は、軸部５０７ｃによってカメラ本体５０に軸部５０７ｃを中心として回動可能に取り付けられている。
【００４２】
図８（ｂ）の状態では、保護部材５０７ｄはプラグ部５０７ａを覆っていないが、プラグ部５０７ａは収納部５０８に収納されているので外力により破損することはない。このとき、保護部材５０７ｄは、不図示のカメラ本体５０に設けられた付勢部材によりコネクタ本体部５０７ｂ側に付勢されている。
【００４３】
図８（ｂ）の状態からコネクタ５０７を回動させると、コネクタ５０７はカメラ本体５０に対して突出し、図８（ｃ）の状態になる。コネクタ５０７が図８（ｂ）の状態から図８（ｃ）の状態に移行する際、保護部材５０７ｄに対する付勢が解除され、保護部材５０７は図８（ｃ）の矢印方向（プラグ部５０７ａに向かう方向）へ移動する。図８（ｃ）の状態では、プラグ部５０７ａは保護部材５０７ｄによって常に保護されているため、コネクタ５０７を撮像装置１の光軸調整用の脚部として使用することが可能となる。また、本実施形態では、カメラ本体５０は、コネクタ５０７が図８（ｂ）の状態からカメラ本体５０に対して突出することで、データ通信手段１０９を介して無線通信可能な状態になる。      
【００４４】
図８（ｃ）の状態からコネクタ５０７を回動させると、コネクタ５０７は図８（ｂ）の状態に対して略直角となる状態で不図示の係止部により係止される図８（ｄ）の状態になる。保護部材５０７ｄは、図８（ｃ）の状態から図８（ｄ）の状態に移行する際、前述の付勢部材により図８（ｄ）の矢印方向（プラグ部５０７ａに向かう方向とは反対方向）へ付勢され、図８（ｄ）の状態ではプラグ部５０７ａを覆わない状態になる。そのため、図８（ｄ）の状態では、プラグ部５０７ａを外部機器に接続可能であり、コネクタ５０７を外部機器との接続コネクタとして使用することが可能となる。
【００４５】
なお、本実施形態では、保護部材５０７ｄは不図示の付勢部材によるメカ的な付勢によってプラグ部５０７ａを覆う状態と覆わない状態との間を移動したが、本発明はこれに限定されない。磁石やモータを用いて保護部材５０７ａを移動させてもよい。また、本実施形態では、図８（ｂ）の状態において、保護部材５０７ｄはプラグ部５０７ａを覆っていないが、プラグ部５０７ａをより強く保護するために、プラグ部５０７ａを覆うようにしてもよい。また、図８（ｃ）の状態は、プラグ部５０７ａは保護部材５０７ａにより保護されており、コネクタ５０７は外部機器と接続不可能な状態である。しかしながら、保護部材５０７ｄをプラグ部５０７ａに向かう方向とは反対方向へ押し込むことで、コネクタ５０７は外部機器に接続可能になる。
【００４６】
以下、図９を参照して、撮像装置１と外部機器との代表的な接続フローについて説明する。図９は、本実施形態の撮像装置１と外部機器との接続フローチャートの一例である。
【００４７】
ステップＳ２００では、コントローラ１０１は、ユーザによりパワースイッチ５０４が押されたことを検出し、ＤＣ／ＤＣコンバータ１１７に撮像装置１内の各構成要素に電源を供給させる。
【００４８】
ステップＳ２０１では、コントローラ１０１は、ファインダ接続検出部１１５によりＥＶＦ１５０のカメラ本体５０への接続が検出されたかどうかを判定する。ＥＶＦ１５０の接続が検出された場合、ステップＳ２０２に進み、ＥＶＦ１５０の接続が検出されていない場合、ステップＳ２０３に進む。
【００４９】
ステップＳ２０２では、コントローラ１０１は、図７（ｂ）、図７（ｃ）および図８（ｃ）のように、コネクタ５０７がカメラ本体５０に対して突出しているかどうかを判定する。コネクタ５０７が突出している場合、ステップＳ２０３に進み、コネクタ５０７が突出していない場合、ユーザはＥＶＦ１５０を覗いていると判定し、撮影状態に移行する。ステップＳ２０２において、撮像装置１は図１や図２のようにカメラ本体５０にＥＶＦ１５０が接続されている状態であるため、ユーザはＥＶＦ１５０を覗いて撮影するケースが多いと考えられる。
【００５０】
ステップＳ２０３では、コントローラ１０１は、コネクタ５０７がカメラ本体５０に対して有線接続されているかどうかを判定する。コネクタ５０７が有線接続されている場合、カメラ本体５０が外部機器に接続されていると判定し、撮影状態に移行し、コネクタ５０７が有線接続されていない場合、カメラ本体５０が遠隔操作されていると判定し、ステップＳ２０４に進む。
【００５１】
ステップＳ２０４では、コントローラ１０１は、外部機器と無線接続を行い、撮影状態に移行する。
【００５２】
以上説明したように、撮像装置１に内蔵されているコネクタ５０７は、カメラ本体５０に対して回動自在に突出し、脚部として撮像装置１の光軸の角度を自在に調整することが可能である。
【００５３】
なお、本実施形態では、外部機器との接続コネクタおよび光軸調整用の脚部の数がそれぞれ１つである場合について説明したが、本発明はこれに限定されない。また、コネクタ５０７の回動は、手動で操作可能に構成されていてもよいし、カメラ本体５０にモータなどの電気駆動部材を設け、外部からリモコン操作可能に構成されていてもよい。
［第２の実施形態］
本実施形態では、コネクタの構成が第１の実施形態と異なる。他の構成については、第１の実施形態と同様であるため、説明は省略する。
【００５４】
図１０は、本実施形態のコネクタ５０７の説明図である。コネクタ５０７は、第１の実施形態で説明したように、外部機器との接続コネクタとして使用されるとともに、撮像装置１の光軸調整用の脚部としても使用される。
【００５５】
コネクタ５０７は、プラグ部（接続部）５０７ｅおよび本体部（脚部）５０７ｆを有する。コネクタ５０７は、軸部５０７ｇによってカメラ本体５０に軸部５０７ｇを中心として回動可能に取り付けられている。本実施形態では、コネクタ５０７には、プラグ部５０７ｅを保護する保護部材は設けられていない。
【００５６】
図１０（ａ）は、カメラ本体５０に収納されている状態（収納状態）のコネクタ５０７の断面図である。図１０（ａ）の状態からコネクタ５０７を図中の時計回りの方向（図１０（ｂ）の矢印方向）へ回動させると、コネクタ５０７は図１０（ａ）の状態に対して略直角となる状態で不図示の係止部により係止される図１０（ｂ）の状態になる。図１０（ｂ）の状態では、プラグ部５０７ｅを外部機器に接続可能であり、コネクタ５０７を外部機器との接続コネクタとして使用することが可能になる。
【００５７】
図１０（ａ）の状態からコネクタ５０７を図中の反時計回りの方向（図１０（ｃ）−図１０（ｅ）の矢印方向）へ回動させると、プラグ部５０７ｅは収納部５０８側に回動し、本体部５０７ｆはカメラ本体５０に対して突出する方向へ回動する。コネクタ５０７は、図１０（ａ）の位置から図１０（ｃ）の位置、図１０（ｄ）の位置、図１０（ｅ）の位置の順に移動する。このとき、各位置において、ユーザにクリック感を与えて、コネクタ５０７を係止させてもよい。このようにコネクタ５０７がカメラ本体５０に対して自在に回動することで、本体部５０７ｆは撮像装置１の光軸調整用の脚部として使用され、撮像装置１の光軸を段階的に調整することができる。本体部５０７ｆが撮像装置１の光軸調整用の脚部として使用される間、当接部５０７ｈは設置面に当接する。当接部５０７ｈの表面粗さは、プラグ部５０７ｅや本体部５０７ｆよりも粗くなっている。これにより、撮像装置１を安定して設置することが可能になる。当接部５０７ｈの表面粗さは、例えば、マット処理などによって大きくすることができる。
【００５８】
本実施形態では、コネクタ５０７が図１０（ａ）の位置から反時計回りに回動する場合、本体部５０７ｆは段階的に位置（本実施形態では図１０（ｃ）−図１０（ｅ）の３つの位置）をとるが、本発明はこれに限定されない。コネクタ５０７が図１０（ａ）の位置から反時計回りに回動する間、本体部５０７ｆはどの位置であっても脚部として使用可能となるように構成されていてもよい。また、図１０（ａ）の位置からコネクタ５０７を時計回りに回動させる場合、コネクタ５０７をシームレスに回動させてもよい。
［第３の実施形態］
本実施形態では、コネクタのとりうる状態が第１の実施形態と異なる。他の構成については、第１の実施形態と同様であるため、説明は省略する。
【００５９】
図１１（ａ）は、カメラ本体５０から突出し、外部機器に有線接続可能な状態のコネクタ５０７の状態を示している。第１および第２の実施形態で説明したように、コネクタ５０７は、収納状態と図１１（ａ）の状態との間を回動可能に構成されている。本実施形態では、コネクタ５０７は、さらに、図１１（ａ）の状態と図１１（ｂ）との間を回動可能に構成されている。具体的には、コネクタ５０７は、図１１（ａ）の状態において、図１１（ａ）の矢印で示される、収納状態から図１１（ａ）の状態に至るまでの回動方向（第１の回動方向）に直交する方向（第２の回動方向）へ回動可能である。コネクタ５０７が図１１（ａ）に至るまでの回動方向に直交する方向へ略９０度回動すると、図１１（ｂ）の状態（第３の状態）になる。
【００６０】
図１１（ａ）の状態では、コネクタ５０７は、撮像素子１０６の長さＸの短辺側に配置されている。図１１（ｂ）の状態では、コネクタ５０７は、撮像素子１０６の長さＹ（＞Ｘ）の長辺側に配置されている。このように撮像素子１０６に対してコネクタ５０７の位置を９０度回転可能な構成にすることで、例えば、スマートフォンなどの外部機器に接続する際に、撮像素子１０６と外部機器の表示ディスプレイのアスペクト比を合わせることが可能となる。そのため、ユーザが撮影後に表示ディスプレイを確認する際に、画像表示上、違和感のない撮影画像が出力される。
【００６１】
なお、撮像素子１０６のレイアウトは本実施形態のレイアウトに限るものではなく、図１１（ａ）の状態で撮像素子１０６の長辺側にコネクタ５０７が配置されていてもよい。
［第４の実施形態］
図１２は、本実施形態の撮像装置２の外観斜視図である。図１２（ａ）に示されるように、カメラ本体６０の正面から見て右側面にはレリーズスイッチとパワースイッチを兼用したパワー／レリーズスイッチ６０２が配置され、右側稜線にはズームスイッチ６０３が配置されている。また、図１２（ｂ）に示されるように、カメラ本体６０の背面から見て右側稜線にはモードスイッチ６０５が配置され、右側面にはコネクタ６０７が配置されている。パワー／レリーズスイッチ６０２は、例えば、長い時間押すことで電源ＯＮと電源ＯＦＦを切り替えることが可能あり、短い時間押すことで撮像動作を開始させることが可能である。ＥＶＦ１５０は、カメラ本体６０に対して取り外し可能に構成されている。コネクタ６０７は、カメラ本体６０の側面に配置されているが、第１および第２の実施形態に記載の内容と同じ用途で使用可能である。他の構成部品については、第１の実施形態と同様であるため、説明は省略する。
［第５の実施形態］
図１３は、本実施形態の撮像装置３の外観斜視図である。図１３（ａ）に示されるように、カメラ本体７０の上面部にはレリーズスイッチ７０２が配置され、前面部には結像光学系５０１の周囲を囲むようにズームレバー７０３が配置されている。ズームレバー７０３は、焦点距離を１００ｍｍと４００ｍｍに切り替えることが可能である。ズームレバー７０３の先端を、図の１００の位置に合わせることで結像光学系５０１の焦点距離が１００ｍｍに設定され、４００の位置に合わせることで結像光学系５０１の焦点距離が４００ｍｍに設定される。また、図１３（ｂ）に示されるように、カメラ本体７０の側面部にはパワースイッチ７０４が配置され、底面部には三脚穴７０６およびコネクタ７０７が配置されている。ＥＶＦ１５０は、カメラ本体７０に対して取り外し可能に構成されている。コネクタ７０７は、カメラ本体７０の底面に配置されているが、第１および第２の実施形態に記載の内容と同じ用途で使用可能である。他の構成部品については、第１の実施形態と同様であるため、説明は省略する。
［第６の実施形態］
本実施形態では、コネクタの構成が第１の実施形態と異なる。他の構成については、第１の実施形態と同様であるため、説明は省略する。
【００６２】
まず、図１４を参照して、本実施形態のコネクタ５０７の構成について説明する。図１４は、コネクタ５０７の構成を示す分解斜視図である。コネクタ５０７は、プラグ部５０７ａ、コネクタ本体部５０７ｂ、保護部材５０７ｄ、スプリング５０７ｍ、プラグカバー５０７ｎ、およびフレキシブル基板５０７ｐを有する。
【００６３】
プラグ部５０７ａは、外部機器との接続コネクタでコネクタ本体部５０７ｂに保持されている。
【００６４】
保護部材５０７ｄは、コネクタ本体部５０７ｂと摺動可能に嵌合し、収納状態でプラグ部５０７ａを保護している。また、保護部材５０７ｄには、コネクタ５０７を撮像装置１の光軸調整用の脚部として使用する場合に設置面に当接する当接部５０７ｈがプラグ部５０７ａと対向するように形成されている。
【００６５】
スプリング５０７ｍは、コネクタ本体部５０７ｂと保護部材５０７ｄとの間に配置され、プラグ部５０７ａを保護部材５０７ｄから突出するように付勢している。
【００６６】
プラグカバー５０７ｎは、プラグ部５０７ａ、コネクタ本体部５０７ｂ、およびスプリング５０７ｍを保護部材５０７ｄ内に支持している。
【００６７】
フレキシブル基板５０７ｐは、プラグ部５０７ａとカメラ本体５０の基板（不図示）とを接続している。
【００６８】
次に、図１５および図１６を参照して、本実施形態のコネクタ５０７の支持構成について説明する。図１５は、コネクタ５０７の支持構成を示す分解斜視図である。図１６は、コネクタ５０７の支持構造を示す断面図である。
【００６９】
コネクタ５０７の支持構成は、収納部５０８、弾性部材５１０、および回転軸（軸部）５１１で構成されている。
【００７０】
収納部５０８は、コネクタ５０７を収納し、不図示の固定ビスによってカメラ本体５０に固定されている。収納部５０８には、回転軸５１１が回動可能に嵌合する孔５０８ａと、コネクタ５０７が収納部５０８内に収納されている場合にコネクタ５０７を係止する係止爪５０８ｂとが形成されている。
【００７１】
弾性部材５１０は、収納部５０８と回転軸５１１との間に配置されており、コネクタ５０７が収納部５０８に対して回転する場合に一定のフリクション力を付加する。
【００７２】
回転軸５１１は、孔５０８ａと保護部材５０７ｄに設けられた長孔５０７ｒとに回動可能に嵌合し、コネクタ本体部５０７ｂに固定される。これにより、コネクタ５０７は、収納部５０８に回動可能に支持される。
【００７３】
次に、図１７を参照して、本実施形態のコネクタ５０７の突出方法について説明する。図１７は、コネクタ５０７の突出状態を示す断面図である。図１７（ａ）は、コネクタ５０７が収納部５０８内に収納された状態を示す断面図である。図１７（ｂ）は、保護部材５０７ｄが収納部５０８内から突出し、撮像装置１の光軸調整用の脚部として使用可能な状態（第１の状態）のコネクタ５０７の断面図である。図１７（ｃ）は、プラグ部５０７ａが収納部５０８内から突出し、外部機器に有線接続可能な状態（第２の状態）のコネクタ５０７の断面図である。
【００７４】
まず、保護部材５０７ｄの突出動作について説明する。コネクタ５０７は、図１７（ａ）の状態でプラグ部５０７ａ側を反時計方向（矢印Ａ方向）へ押圧操作されると、回転軸５１１を中心に反時計方向へ回動する。この回動により、当接部５０７ｈが係止爪５０８ｂの斜面に沿ってスプリング５０７ｍをチャージしながら図面の右方向へ移動し、当接部５０７ｈが係止爪５０８ｂを通過する。係止爪５０８ｂを通過した保護部材５０７ｄは、スプリング５０７ｍのチャージ力により図面の左方向へ移動する。プラグ部５０７ａがプラグカバー５０７ｎに当接することで、保護部材５０７ｄの移動が止まる。図１７（ｂ）に示されるように、当接部５０７ｈが収納部５０８内から突出することで、コネクタ５０７は撮像装置１の光軸調整用の脚部として使用可能な状態になる。このとき、プラグ部５０７ａは保護部材５０７ｄに覆われていないが、収納部５０８内に収納されているため、コネクタ５０７は外部機器と接続不可能な状態になる。
【００７５】
次に、プラグ部５０７ａの突出動作について説明する。コネクタ５０７は、図１７（ａ）の状態で当接部５０７ｈ側を時計方向（矢印Ｂ方向）へ押圧操作されると、回転軸５１１を中心に時計方向へ回動する。この回動により、保護部材５０７ｄはスプリング５０７ｍのスプリング力によって収納部５０８の内壁５０８ｃに向かって移動する。プラグ部５０７ａがプラグカバー５０７ｎに当接することで、保護部材５０７ｄの移動が止まる。図１７（ｃ）に示されるように、保護部材５０７ｄで覆われない状態となったプラグ部５０７ａが突出することで、コネクタ５０７は外部機器と接続可能な状態になる。このとき、当接部５０７ｈは収納部５０８内に収納されているため、コネクタ５０７は撮像装置１の光軸調整用の脚部として使用不可能な状態になる。
［第７の実施形態］
本実施形態では、コネクタの構成が第１から第３および第６の実施形態と異なる。他の構成については、第１から第３および第６の実施形態と同様であるため、説明は省略する。
【００７６】
本実施形態では、コネクタ５０７は、外部機器との接続コネクタとして使用される。また、姿勢調整部９１５は、撮像装置１の光軸調整用の脚部として使用される。
【００７７】
まず、図１８を参照して、本実施形態のコネクタ５０７の構成について説明する。図１８は、コネクタ５０７の構成を示す分解斜視図である。
【００７８】
コネクタ５０７は、プラグ部５０７ａ、コネクタ本体部５０７ｂ、プラグカバー５０７ｎ、およびフレキシブル基板５０７ｐを有する。
【００７９】
プラグ部５０７ａは、外部機器との接続コネクタでコネクタ本体部５０７ｂに保持されている。
【００８０】
プラグカバー５０７ｎは、外装部品でコネクタ本体部５０７ｂに支持されている。
【００８１】
フレキシブル基板５０７ｐは、プラグ部５０７ａとカメラ本体５０の基板（不図示）とを接続している。
【００８２】
次に、図１９および図２０を参照して、本実施形態のコネクタ５０７と姿勢調整部９１５の支持構成について説明する。図１９は、コネクタ５０７と姿勢調整部９１５の支持構成を示す分解斜視図である。図２０は、コネクタ５０７と姿勢調整部９１５の支持構造を示す断面図である。
【００８３】
コネクタ５０７と姿勢調整部９１５の支持構成は、収納部５０８、回転軸（軸部）５１１、スプリング９１６、姿勢調整部係止ツマミ９１７、ツマミスプリング９１８、ツマミカバー９１９、およびコネクタ蓋９２０で構成されている。
【００８４】
収納部５０８は、コネクタ５０７と姿勢調整部９１５を収納し、不図示の固定ビスによってカメラ本体５０に固定されている。収納部５０８には、回転軸５１１が回動可能に嵌合する孔５０８ａと、フレキシブル基板５０７ｐを収納する空間５０８ｄと、姿勢調整部９１５の突出位置を規制する突部５０８ｅとが形成されている。
コネクタ５０７は、軸部５０７ｃによってカメラ本体５０に軸部５０７ｃを中心として回動可能に取り付けられている。
【００８５】
コネクタ５０７は、回転軸５１１によって収納部５０８に回転軸５１１を中心として回動可能に取り付けられている。
【００８６】
姿勢調整部９１５は、コネクタ５０７と同様に回転軸５１１によって収納部５０８に回転軸５１１を中心として回動可能に取り付けられている。姿勢調整部９１５には、撮像装置１の光軸調整用の脚部として使用される際、設置面に当接する当接部９１５ａと、収納部５０８内に収納された場合に係止される係止穴９１５ｂと、突出位置を規制する規制突部９１５ｃとが形成されている。
【００８７】
コネクタ５０７と姿勢調整部９１５が収納部５０８内に収納された状態では、回転軸５１１を中心としてプラグ部５０７aは右側に収納され、当接部９１５ａは左側に収納される。
【００８８】
スプリング９１６は、コネクタ５０７と姿勢調整部９１５との間に配置され、一方がコネクタ本体部５０７ｂ、他方が姿勢調整部９１５に掛けられており、コネクタ５０７と姿勢調整部９１５を収納部５０８内（カメラ本体５０）から突出する方向へ付勢している。
【００８９】
姿勢調整部係止ツマミ９１７には、係止穴９１５ｂに挿入される係止部９１７ａが形成されている。係止部９１７ａは、姿勢調整部９１５が収納部５０８内に収納された場合に姿勢調整部９１５を係止する。
【００９０】
ツマミスプリング９１８は、収納部５０８と姿勢調整部係止ツマミ９１７との間に配置され、姿勢調整部係止ツマミ９１７と姿勢調整部９１５を係止する方向へ付勢している。
【００９１】
ツマミカバー９１９は、４本の固定爪９１９ａによって収納部５０８に固定され、姿勢調整部係止ツマミ９１７を覆っている。
【００９２】
コネクタ蓋９２０は、ツマミカバー９１９に形成された溝９１９ｂにスライド可能に取り付けられており、コネクタ５０７が収納部５０８内に収納された場合にコネクタ５０７を係止するとともにプラグ部５０７aを覆っている。
【００９３】
次に、図２１および図２２を参照して、本実施形態のコネクタ５０７と姿勢調整部９１５の突出方法について説明する。図２１は、コネクタ蓋９２０の移動状態を示す下面図である。図２１（ａ）は、コネクタ蓋９２０がプラグ部５０７ａを覆っている状態を示す下面図である。図２１（ｂ）は、コネクタ蓋９２０が姿勢調整部９１５に移動している状態を示す下面図である。図２２は、コネクタ５０７と姿勢調整部９１５の突出状態を示す断面図である。図２２（ａ）は、コネクタ５０７と姿勢調整部９１５が収納部５０８内に収納された状態を示す断面図である。図２２（ｂ）は、コネクタ５０７が収納部５０８内から突出した状態を示す断面図である。図２２（ｃ）は、姿勢調整部９１５が収納部５０８内から突出した状態を示す断面図である。
【００９４】
まず、コネクタ５０７の突出方法について説明する。図２１（ａ）および図２２（ａ）の状態から、コネクタ蓋９２０を図２１（ｂ）および図２２（ｂ）に示されるように姿勢調整部９１５を覆う方向（左方向）へスライドさせる。このスライドにより、コネクタ蓋９２０で係止されていたプラグ部５０７ａの係止が解除され、コネクタ５０７がスプリング９１６のチャージ力により回転軸５１１を中心に時計方向へ回動し、プラグ部５０７ａが収納部５０８内から突出する。このとき、コネクタ本体部５０７ｂが姿勢調整部９１５に当接することで、図２２（ｂ）に示されるように、プラグ部５０７ａの突出位置が決まる。また、空間５０８ｄに収納されていたフレキシブル基板５０７ｐは、収納部５０８のフレキ固定軸５０８ｆを中心に反時計方向へ回動する。プラグ部５０７ａが突出することで、コネクタ５０７は外部機器と接続可能な状態になる。このとき、姿勢調整部９１５はコネクタ蓋９２０によって覆われているため、姿勢調整部９１５は撮像装置１の光軸調整用の脚部として使用不可能な状態になる。
【００９５】
次に、コネクタ５０７の収納方法について説明する。図２１（ｂ）および図２２（ｂ）の状態から、コネクタ蓋９２０を右方向へスライドさせる。このスライドにより、コネクタ蓋９２０がプラグ部５０７ａを押圧する。この押圧により、プラグ部５０７ａはスプリング９１６をチャージしながら反時計方向へ回動し、図２２（ａ）に示されるように、プラグ部５０７ａが収納部５０８内に収納される。このとき、フレキシブル基板５０７ｐは、収納部５０８のフレキ固定軸５０８ｆを中心に時計方向へ回動し、空間５０８ｄに収納される。
【００９６】
次に、姿勢調整部９１５の突出方法について説明する。図２１（ａ）および図２２（ａ）の状態から、姿勢調整部係止ツマミ９１７を左方向へツマミスプリング９１８をチャージしながらスライドさせる。このスライドにより、係止部９１７ａと係止穴９１５ｂとの係止が解除され、姿勢調整部９１５がスプリング９１６のチャージ力により回転軸５１１を中心に反時計方向へ回動し、姿勢調整部９１５が収納部５０８内から突出する。規制突部９１５ｃが突部５０８ｅに当接することで、図２２（ｃ）に示されるように、姿勢調整部９１５の突出位置が決まる。図２２（ｃ）に示されるように、姿勢調整部９１５が突出することで、姿勢調整部９１５は撮像装置１の光軸調整用の脚部として使用可能な状態になる。このとき、プラグ部５０７ａはコネクタ蓋９２０により覆われているため、コネクタ５０７は外部機器と接続不可能な状態になる。
【００９７】
次に、姿勢調整部９１５の収納方法について説明する。図２２（ｃ）の状態から、姿勢調整部９１５を時計方向へ押圧する。この押圧により、姿勢調整部９１５は、スプリング９１６をチャージしながら図２２（ａ）に示されるように、収納部５０８内に収納される。姿勢調整部９１５が収納部５０８内に収納されると、係止部９１７ａは係止穴９１５ｂに挿入される。
［第８の実施形態］
本実施形態では、コネクタの構成が第１から第３、第６および第７の実施形態と異なる。他の構成については、第１から第３、第６および第７の実施形態と同様であるため、説明は省略する。
【００９８】
図２３は、本実施形態のコネクタ５０７の構成を示す分解斜視図である。上記実施形態と異なる構成は、コネクタ５０７の収納方向が姿勢調整部９１５の収納方向と同じであることと、スプリング９２１、コネクタ係止ツマミ９２２、およびツマミスプリング９２３が追加されていることのみである。
【００９９】
スプリング９２１は、姿勢調整部９１５と収納部５０８との間に配置され、一方が姿勢調整部９１５、他方が収納部５０８に掛けられており、姿勢調整部９１５を収納部５０８内（カメラ本体５０）から突出する方向へ付勢している。スプリング９２１が新たに追加されたことで、スプリング９１６はコネクタ５０７のみを収納部５０８内（カメラ本体５０）から突出する方向へ付勢している。
【０１００】
コネクタ係止ツマミ９２２には、コネクタ５０７のプラグ部５０７ａの係止穴に挿入される係止部９２２ａが形成されている。係止部９２２ａは、コネクタ５０７が収納部５０８内に収納された場合にコネクタ５０７を係止する。
【０１０１】
ツマミスプリング９２３は、収納部５０８とコネクタ係止ツマミ９２２との間に配置され、コネクタ係止ツマミ９２２とコネクタ５０７を係止する方向へ付勢している。
【０１０２】
以下、図２４を参照して、コネクタ５０７と姿勢調整部９１５の突出方法について説明する。図２４は、コネクタ５０７と姿勢調整部９１５の突出状態を示す断面図である。図２４（ａ）は、コネクタ５０７と姿勢調整部９１５が収納部５０８内に収納された状態を示す断面図である。図２４（ｂ）は、コネクタ５０７が収納部５０８内から突出した状態を示す断面図である。図２４（ｃ）は、姿勢調整部９１５が収納部５０８内から突出した状態を示す断面図である。
【０１０３】
まず、コネクタ５０７の突出方法について説明する。図２４（ａ）の状態から、コネクタ係止ツマミ９２２を右方向へツマミスプリング９２３をチャージしながらスライドさせる。このスライドにより、係止部９２２ａとプラグ部５０７ａの係止穴との係止が解除され、コネクタ５０７がスプリング９１６のチャージ力により回転軸５１１を中心に反時計方向へ回動し、収納部５０８内から突出する。コネクタ５０７のコネクタ本体部５０７ｂが姿勢調整部９１５に当接することで、図２４（ｂ）に示されるようにコネクタ５０７の突出位置が決まる。また、収納部５０８の空間５０８ｄに収納されていたフレキシブル基板５０７ｐは、収納部５０８のフレキ固定軸５０８ｆを中心に時計方向へ回動する。図２４（ｂ）に示されるように、コネクタ５０７のプラグ部５０７ａが突出することで、コネクタ５０７は外部機器と接続可能な状態になる。
【０１０４】
次に、姿勢調整部９１５の突出方法について説明する。図２４（ａ）の状態から、姿勢調整部係止ツマミ９１７を左方向へツマミスプリング９１８をチャージしながらスライドさせる。このスライドにより姿勢調整部係止ツマミ９１７の係止部９１７ａと姿勢調整部９１５の係止穴９１５ａとの係止が解除され、姿勢調整部９１５がスプリング９２１のチャージ力により回転軸５１１を中心に反時計方向へ回動し、収納部５０８内から突出する。姿勢調整部９１５の規制突部９１５ｃが収納部５０８の突部９０８eに当接することで、図２４（ｃ）に示されるように、姿勢調整部９１５の突出位置が決まる。図２４（ｃ）に示されるように、姿勢調整部９１５が突出することで、姿勢調整部９１５は撮像装置１の光軸調整用の脚部として使用可能な状態になる。
【０１０５】
以上、本発明の好ましい実施形態について説明したが、本発明はこれらの実施形態に限定されず、その要旨の範囲内で種々の変形及び変更が可能である。
【符号の説明】
【０１０６】
１      撮像装置
１０６  撮像素子
５０    カメラ本体（本体部）
５０１  結像光学系（撮影光学系）
５０７  外部機器接続用コネクタ（コネクタ）
５０８  収納部
【図１】
2019120938.tif 000003
【図２】
2019120938.tif 000004
【図３】
2019120938.tif 000005
【図４】
2019120938.tif 000006
【図５】
2019120938.tif 000007
【図６】
2019120938.tif 000008
【図７】
2019120938.tif 000009
【図８】
2019120938.tif 000010
【図９】
2019120938.tif 000011
【図１０】
2019120938.tif 000012
【図１１】
2019120938.tif 000013
【図１２】
2019120938.tif 000014
【図１３】
2019120938.tif 000015
【図１４】
2019120938.tif 000016
【図１５】
2019120938.tif 000017
【図１６】
2019120938.tif 000018
【図１７】
2019120938.tif 000019
【図１８】
2019120938.tif 000020
【図１９】
2019120938.tif 000021
【図２０】
2019120938.tif 000022
【図２１】
2019120938.tif 000023
【図２２】
2019120938.tif 000024
【図２３】
2019120938.tif 000025
【図２４】
2019120938.tif 000026